(57)【要約】【課題】ラチェットバックル底座の構造を提供する。【解決手段】ラチェット部の底座が金属板材からカットされて形成され、底部の中央において、後方の近くに予めに後へ向かう門形状の凹槽を開口してから、プレスにより、凹槽内方の板片がプレスされて、後へ向かってカールになって、ストッパーが形成され、更に、プレスして、底座の両側にある辺壁が相対的に上へ湾曲されて、ストッパーに近づき、ストッパーを挟み持つ。【選択図】図２
0003145820.tif 000002
【実用新案登録請求の範囲】
【請求項１】
ラチェット部と引っ張り部があり、ラチェット部の底座と引っ張り部との間において、連接棒により接続され、引っ張り部が、操作されると、ラチェット部のラチェットに係止されて回転され、これにより、連接棒が、一方向に転動し、連接棒に巻き付けられた帯が、相対的に緊密に締められ、また、引っ張り部に、更に、押し圧機能を有し、押し圧された後、引っ張り部が操作されるが、ラチェットを転動させず、引っ張り部が、折り畳まれることができ、
ラチェット部の底座が、金属板材からカットされて形成され、底部の中央において、後方の近くに、予めに、後へ向かう門形状の凹槽を開口してから、プレスにより、凹槽内方の板片が、プレスされて、後へ向かってカールになって、ストッパーが形成され、更に、プレスして、底座の両側にある辺壁が、相対的に上へ湾曲されて、ストッパーに近づき、ストッパーを挟み持つ、ことを特徴とするラチェットバックル底座の構造。
【請求項２】
底座がカットされることとともに、兩辺壁上に、複数の大きさや形状が異なる穴が形成され、底座がプレス成型された後、それらの穴に、限位シートやばね及び連接棒が実装されることを特徴とする請求項１に記載のラチェットバックル底座の構造。
【請求項３】
ストッパーの両側と辺壁との対向する位置をカットする時、係止ブロックと係止穴が一体成型され、底座がプレス成型される時、係止ブロックが、係止穴内に嵌合されることを特徴とする請求項１に記載のラチェットバックル底座の構造。
【請求項４】
ストッパーの両側の末端において、外から内へ、ストッパーに係止するための、一体にプレスされる突出部があることを特徴とする請求項１に記載のラチェットバックル底座の構造。
【請求項５】
突出部が、シート状であることを特徴とする請求項４に記載のラチェットバックル底座の構造。
【請求項６】
突出部が、柱状であることを特徴とする請求項４に記載のラチェットバックル底座の構造。
【請求項７】
シート状の突出部上に、ストッパーが嵌入されるための欠け口が設けられることを特徴とする請求項５に記載のラチェットバックル底座の構造。
【考案の詳細な説明】
【技術分野】
【０００１】
本考案は、ラチェットバックル底座の構造に関し、特に、上記ラチェットバックルの底座は、延伸帶が接続されるストッパーが一体にプレスされるものに関する。
【背景技術】
【０００２】
トラックに荷物を荷積みした後、帯で、荷物を束縛して、走行中、荷物が落ちることを防止できるが、荷物を束縛する帯が、幅広くて堅いため、手で、結ぶことが難しく、また、安定的に荷物を束縛できないので、ラチェットバックルで、帯を緊張に固定することが必要である。従来のラチェットバックル構造は、図９のように、ラチェット部５０と引っ張り部６０があり、ラチェット部５０の底座５１と引っ張り部６０との間において、連接棒７０により接続され、引っ張り部６０が、操作されると、ラチェット部５０のラチェット５２に係止されて回転され、連接棒７０が、一方向に転動し、連接棒７０に巻き付けられた帯が、相対的に緊密に締められ、また、引っ張り部６０に、更に、押し圧機能を有し、押し圧された後、引っ張り部６０が操作されるが、ラチェット５２を転動させず、引っ張り部６０が、折り畳まれることができ、ラチェット部５０の底座５１において、両側にある辺壁の後方に、ボルト５３を貫設してナット５４で締まることができる貫通穴が設けられ、ボルト５３に、ホックを有する延伸帶が嵌合でき、帯が緊密に巻き締まられる前、予めに、上記延伸帶が、トラックに固定されることができる。しかしながら、上記の従来構造によれば、荷物を運搬する時、帯を緊密に巻き締まることができるが、次の問題点が残され、ボルト５３で、ナット５４に合わせて延伸帶を嵌合する使用態様が形成されるため、ナット５４が、容易に弛める恐れがあり、使用する時、相対的に安定性がない。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、その底座に、ストッパーが一体にプレスされるため、ボルトとナットを省略でき、また、一体にプレスされるため、ボルトとナットを組み立てることが必要しなく、上記構造によれば、有効に人力コストを制御できる効果が得られるラチェットバックル底座の構造を提供する。
【０００５】
本考案の他の目的は、その底座に、一体にプレスされるストッパーがあるため、使用する時、ストッパーが弛める恐れを解消できるラチェットバックル底座の構造を提供する。
【課題を解決するための手段】
【０００６】
請求項１の考案は、ラチェット部と引っ張り部があり、ラチェット部の底座と引っ張り部との間において、連接棒により接続され、引っ張り部が、操作されると、ラチェット部のラチェットに係止されて回転され、これにより、連接棒が、一方向に転動し、連接棒に巻き付けられた帯が、相対的に緊密に締められ、また、引っ張り部に、更に、押し圧機能を有し、押し圧された後、引っ張り部が操作されるが、ラチェットを転動させず、引っ張り部が、折り畳まれることができ、ラチェット部の底座が、金属板材からカットされて形成され、底部の中央において、後方の近くに、予めに、處預留有一開口朝後へ向かう門形状の凹槽を開口してから、プレスにより、凹槽内方の板片が、プレスされて、後へ向かってカールになって、ストッパーが形成され、更に、プレスして、底座の両側にある辺壁が、相対的に上へ湾曲されて、ストッパーに近づき、ストッパーを挟み持つ、ことを特徴とするラチェットバックル底座の構造である。
【０００７】
請求項２の考案は、底座がカットされることとともに、兩辺壁上に、複数の大きさや形状が異なる穴が形成され、底座がプレス成型された後、それらの穴に、限位シートやばね及び連接棒が実装されることを特徴とする請求項１に記載のラチェットバックル底座の構造（１）である。
【０００８】
請求項３の考案は、ストッパーの両側と辺壁との対向する位置をカットする時、係止ブロックと係止穴が一体成型され、底座がプレス成型される時、係止ブロックが、係止穴内に嵌合されることを特徴とする請求項１に記載のラチェットバックル底座の構造である。
【０００９】
請求項４の考案は、ストッパーの両側の末端において、外から内へ、ストッパーに係止するための、一体にプレスされる突出部があることを特徴とする請求項１に記載のラチェットバックル底座の構造である。
【００１０】
請求項５の考案は、突出部が、シート状であることを特徴とする請求項４に記載のラチェットバックル底座の構造である。
【００１１】
請求項６の考案は、突出部が、柱状であることを特徴とする請求項４に記載のラチェットバックル底座の構造である。
【００１２】
請求項７の考案は、シート状の突出部上に、ストッパーが嵌入されるための欠け口が設けられることを特徴とする請求項５に記載のラチェットバックル底座の構造である。
【００１３】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１４】
図１〜３を参照しながら、本考案は、ラチェット部１０と引っ張り部２０があり、ラチェット部１０の底座１１と引っ張り部２０との間において、連接棒３０により接続され、引っ張り部２０が、操作されると、ラチェット部１０のラチェット１２に係止され回転され、これにより、連接棒３０が、一方向に転動し、連接棒３０に巻き付けられた帯が、相対的に緊密に締められ、また、引っ張り部２０に、更に、押し圧機能を有し、押し圧された後、引っ張り部２０が操作されるが、ラチェット１２を転動させず、引っ張り部２０が、折り畳まれることができる。
【００１５】
ラチェット部１０の底座１１が、金属板材からカットされて形成され、底部の中央において、後方の近くに、予めに、後へ向かう門形状の凹槽１１１を開口してから、プレスにより、凹槽１１１内方の板片が、プレスされて、後へ向かってカールになって、ストッパー１１２が形成され、更に、プレスして、底座１１の両側にある辺壁１１３が、相対的に上へ湾曲されて、ストッパー１１２に近づき、ストッパー１１２を挟み持つようになり、また、底座１１をカットすることとともに、兩辺壁１１３上に、複数の大きさや形状が異なる穴が形成され、底座１１がプレス成型された後、そられの穴に、限位シート１３やばね１４及び連接棒３０が実装される。
【００１６】
本考案によれば、ホック４１を有する延伸帶４０が、底座１１のストッパー１１２に嵌合され（図４のように）、帯を緊密に締まる前、まず、上記延伸帶４０をトラックに固定し、底座１１と上記ストッパー１１２が、一体にプレス成型されるため、使用する時、ストッパー１１２が弛める恐れが無い。
【００１７】
また、ストッパー１１２両側と辺壁１１３との対向する位置をカットする時、係止ブロック１１２１と係止穴１１３１が一体成型され、底座１１がプレス成型される時、係止ブロック１１２１が、係止穴１１３１内に嵌合され（図１〜４を参照しながら）、これにより、構造強度が向上され、また、ストッパー１１２の両側の末端において、ストッパー１１２に係止するための、外から内へ、一体にプレスされる突出部１１４が設けられてもよく、また、上記突出部１１４は、シート状（図５や図６のように）や柱状（図７のように）であり、また、シート状の突出部１１４に、ストッパー１１２が嵌合される欠け口１１４１が設けられてもよく、これにより、ストッパー１１２が、より確実に位置づけられる。
【００１８】
上記の具体的な実施例によれば、次の効果が得られ、１、その底座１１に、ストッパー１１２が一体プレスされるため、ボルトとナットを省略でき、また、一体プレスされるため、ボルトとナットを組み立てることが省略され、そのため、有効に、コストを制御でき、２、その底座１１に、ストッパー１１２が一体プレスされるため、使用する時、ストッパー１１２が弛める恐れがない。
【００１９】
そのため、本考案は、より進歩的かつより実用的で、法に従って実用新案登録請求を出願する。
【００２０】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２１】
【図１】本考案の斜視組立て図
【図２】本考案の斜視分解図
【図３】本考案の一部斜視組立て断面図
【図４】本考案の使用状態図
【図５】本考案の他の実施例の斜視組立て図
【図６】本考案の他の実施例の一部斜視組立て断面図
【図７】本考案の他の実施例図
【図８】本考案の更に他の実施例図
【図９】従来の斜視外観図
【符号の説明】
【００２２】
本考案
１０      ラチェット部
１１      底座
１１１    凹槽
１１２    ストッパー
１１２１  係止ブロック
１１３    辺壁
１１３１  係止穴
１１４    突出部
１１４１  欠け口
１２      ラチェット
１３      限位シート
１４      ばね
２０      引っ張り部
３０      連接棒
４０      延伸帶
４１      ホック
従来
５０      ラチェット部
５１      底座
５２      ラチェット
５３      ボルト
５４      ナット
６０      引っ張り部
７０      連接棒
【図１】
0003145820.tif 000003
【図２】
0003145820.tif 000004
【図３】
0003145820.tif 000005
【図４】
0003145820.tif 000006
【図５】
0003145820.tif 000007
【図６】
0003145820.tif 000008
【図７】
0003145820.tif 000009
【図８】
0003145820.tif 000010
【図９】
0003145820.tif 000011